(57)【要約】【課題】  ユーザがブラウザ等を使用していない場合にも広告を配信可能とし、即時性が高く、宣伝効果及び集客効果を得ることが可能な移動体通信端末を提供する。【解決手段】  携帯電話機１は第２表示装置１８への表示が設定され、かつリスト表示が設定されている場合、第２表示装置１８へエリア情報のリスト表示を行い、ユーザがリストから所望する情報を選択することによって、第２表示装置１８にてリンクサイトを閲覧する。携帯電話機１はリスト表示が設定されていない場合、ユーザがテロップをクリックすることによって、第２表示装置８にてサイトを閲覧する。携帯電話機１は第２表示装置１８への表示が設定されていない場合、第２表示装置１８と同様の手順によって、第１表示装置１６にてサイトを閲覧する。【選択図】      図２
2006109112.tif 000002
【特許請求の範囲】
【請求項１】
メインウィンドウとして使用される第１の表示装置と、サブウィンドウとして使用される第２の表示装置とからなる表示装置を備える移動体通信端末に基地局を介して音声及びデータの少なくとも一方を配信する移動体通信システムであって、
前記基地局からの前記データを前記表示装置の画面の一部領域を使用して前記画面上の情報に挿入する挿入情報として表示する手段と、前記挿入情報が選択された時に前記第２の表示装置の画面へ前記基地局の周辺地域の各種情報を示すエリア情報のリスト及び当該エリア情報を提供するサイトの情報を表示する手段とを前記移動体通信端末に有することを特徴とする移動通信システム。
【請求項２】
前記エリア情報を管理するエリア情報管理サーバを含み、
前記エリア情報管理サーバからのエリア情報を前記挿入情報に変換する手段を前記移動体通信端末に含み、
その変換された挿入情報を前記画面の一部領域を使用して表示することを特徴とする請求項１記載の移動通信システム。
【請求項３】
前記エリア情報は、前記画面の一部領域及び前記第２の表示装置の画面のいずれかに表示されることを特徴とする請求項１または請求項２記載の移動通信システム。
【請求項４】
前記エリア情報のリストは、少なくともタイトルとＵＲＬ（Ｕｎｉｆｏｒｍ  Ｒｅｓｏｕｒｃｅ  Ｌｏｃａｔｏｒ）とのいずれかを含む簡易情報であることを特徴とする請求項１から請求項３のいずれか記載の移動通信システム。
【請求項５】
前記ＵＲＬが指定された時に、ブラウザソフトウェアを起動して当該ＵＲＬに対応するサイトへの接続要求を行うことを特徴とする請求項４記載の移動通信システム。
【請求項６】
前記エリア情報は、少なくとも広告情報及び災害情報の一方を含む情報であることを特徴とする請求項１から請求項５のいずれか記載の移動通信システム。
【請求項７】
メインウィンドウとして使用される第１の表示装置と、サブウィンドウとして使用される第２の表示装置とからなる表示装置を備え、基地局を介して音声及びデータの少なくとも一方が配信される移動体通信端末であって、
前記基地局からの前記データを前記表示装置の画面の一部領域を使用して前記画面上の情報に挿入する挿入情報として表示する手段と、前記挿入情報が選択された時に前記第２の表示装置の画面へ前記基地局の周辺地域の各種情報を示すエリア情報のリスト及び当該エリア情報を提供するサイトの情報を表示する手段とを有することを特徴とする移動体通信端末。
【請求項８】
前記エリア情報を管理するエリア情報管理サーバからのエリア情報を前記挿入情報に変換する手段を含み、
その変換された挿入情報を前記画面の一部領域を使用して表示することを特徴とする請求項７記載の移動体通信端末。
【請求項９】
前記エリア情報は、前記画面の一部領域及び前記第２の表示装置の画面のいずれかに表示されることを特徴とする請求項７または請求項８記載の移動体通信端末。
【請求項１０】
前記エリア情報のリストは、少なくともタイトルとＵＲＬ（Ｕｎｉｆｏｒｍ  Ｒｅｓｏｕｒｃｅ  Ｌｏｃａｔｏｒ）とのいずれかを含む簡易情報であることを特徴とする請求項７から請求項９のいずれか記載の移動体通信端末。
【請求項１１】
前記ＵＲＬが指定された時に、ブラウザソフトウェアを起動して当該ＵＲＬに対応するサイトへの接続要求を行うことを特徴とする請求項１０記載の移動体通信端末。
【請求項１２】
前記エリア情報は、少なくとも広告情報及び災害情報の一方を含む情報であることを特徴とする請求項７から請求項１１のいずれか記載の移動体通信端末。
【請求項１３】
メインウィンドウとして使用される第１の表示装置と、サブウィンドウとして使用される第２の表示装置とからなる表示装置を備える移動体通信端末に基地局を介して音声及びデータの少なくとも一方を配信する移動体通信システムに用いられる広告配信表示方法であって、前記移動体通信端末側に、前記基地局からの前記データを前記表示装置の画面の一部領域を使用して前記画面上の情報に挿入する挿入情報として表示する処理と、前記挿入情報が選択された時に前記第２の表示装置の画面へ前記基地局の周辺地域の各種情報を示すエリア情報のリスト及び当該エリア情報を提供するサイトの情報を表示する処理とを有することを特徴とする広告配信表示方法。
【請求項１４】
前記移動体通信端末側に、前記基地局の周辺地域の各種情報を示すエリア情報を管理するエリア情報管理サーバをからのエリア情報を前記挿入情報に変換する処理を含み、その変換された挿入情報を前記画面の一部領域を使用して表示することを特徴とする請求項１３記載の広告配信表示方法。
【請求項１５】
前記エリア情報は、前記画面の一部領域及び前記第２の表示装置の画面のいずれかに表示されることを特徴とする請求項１３または請求項１４記載の広告配信表示方法。
【請求項１６】
前記エリア情報のリストは、少なくともタイトルとＵＲＬ（Ｕｎｉｆｏｒｍ  Ｒｅｓｏｕｒｃｅ  Ｌｏｃａｔｏｒ）とのいずれかを含む簡易情報であることを特徴とする請求項１３から請求項１５のいずれか記載の広告配信表示方法。
【請求項１７】
前記ＵＲＬが指定された時に、ブラウザソフトウェアを起動して当該ＵＲＬに対応するサイトへの接続要求を行うことを特徴とする請求項１６記載の広告配信表示方法。
【請求項１８】
前記エリア情報は、少なくとも広告情報及び災害情報の一方を含む情報であることを特徴とする請求項１３から請求項１７のいずれか記載の広告配信表示方法。
【請求項１９】
メインウィンドウとして使用される第１の表示装置と、サブウィンドウとして使用される第２の表示装置とからなる表示装置を備える移動体通信端末に基地局を介して音声及びデータの少なくとも一方を配信する移動体通信システムに用いられる広告配信表示方法のプログラムであって、前記移動体通信端末側のコンピュータに、前記基地局からの前記データを前記表示装置の画面の一部領域を使用して前記画面上の情報に挿入する挿入情報として表示する処理と、前記挿入情報が選択された時に前記第２の表示装置の画面へ前記基地局の周辺地域の各種情報を示すエリア情報のリスト及び当該エリア情報を提供するサイトの情報を表示する処理とを実行させるためのプログラム。
【発明の詳細な説明】
【技術分野】
【０００１】
本発明は移動体通信システム、移動体通信端末及びそれに用いる広告配信表示方法並びにそのプログラムに関し、特に第１の表示装置（メインウィンドウ）と第２の表示装置（サブウィンドウ）とを備える移動体通信端末に関する。
【背景技術】
【０００２】
近年、携帯電話機等の移動体通信端末においては、カメラ機能を備えるようになってきており、カメラ機能を備えた端末に対する需要の増加にともない、ファインダとしての第２の表示装置を搭載する機種が増加傾向にある。
【０００３】
また、従来の移動体通信端末では、定額制の高速データ通信サービスが開始されており、上記のカメラ機能で撮影された画像データを含む多種多様な情報をその高速データ通信サービスによって高速に配信することが可能となりつつある。
【０００４】
上記の移動体通信端末としては、通信内容に即した付帯情報が提示可能なテレビ電話システム（例えば、特許文献１参照）、携帯電話機のような小型表示部における全体状況の把握が容易な電子掲示板（例えば、特許文献２参照）等が提唱されている。
【０００５】
【特許文献１】特開２００２−１６５１９３号公報
【特許文献２】特開２００３−６１１４号公報
【発明の開示】
【発明が解決しようとする課題】
【０００６】
上述した従来の携帯電話機等の移動体通信端末では、その端末が在圏する基地局による報知情報（エリア情報）がブラウザ等の閲覧ソフトを使用して表示されており、ＵＲＬ（Ｕｎｉｆｏｒｍ  Ｒｅｓｏｕｒｃｅ  Ｌｏｃａｔｏｒ）入力やメニューリスト等によってサイトを特定しなければならず、ユーザが他機能の操作中には、広告を画面に表示することが不可能となっている。
【０００７】
特許文献１記載の技術では、携帯電話機のような小型表示部についての考慮がなされておらず、また特許文献２記載の技術では、ユーザが他機能を操作中に広告を配信することが不可能である。
【０００８】
そこで、本発明の目的は上記の問題点を解消し、ユーザがブラウザ等を使用していない場合にも広告を配信することができ、即時性が高く、宣伝効果及び集客効果を得ることができる移動体通信システム、移動体通信端末及びそれに用いる広告配信表示方法並びにそのプログラムを提供することにある。
【課題を解決するための手段】
【０００９】
本発明による移動体通信システムは、メインウィンドウとして使用される第１の表示装置と、サブウィンドウとして使用される第２の表示装置とからなる表示装置を備える移動体通信端末に基地局を介して音声及びデータの少なくとも一方を配信する移動体通信システムであって、
前記基地局からの前記データを前記表示装置の画面の一部領域を使用して前記画面上の情報に挿入する挿入情報として表示する手段と、前記挿入情報が選択された時に前記第２の表示装置の画面へ前記基地局の周辺地域の各種情報を示すエリア情報のリスト及び当該エリア情報を提供するサイトの情報を表示する手段とを前記移動体通信端末に備えている。
【００１０】
本発明による移動体通信端末は、メインウィンドウとして使用される第１の表示装置と、サブウィンドウとして使用される第２の表示装置とからなる表示装置を備え、基地局を介して音声及びデータの少なくとも一方が配信される移動体通信端末であって、
前記基地局からの前記データを前記表示装置の画面の一部領域を使用して前記画面上の情報に挿入する挿入情報として表示する手段と、前記挿入情報が選択された時に前記第２の表示装置の画面へ前記基地局の周辺地域の各種情報を示すエリア情報のリスト及び当該エリア情報を提供するサイトの情報を表示する手段とを備えている。
【００１１】
本発明による広告配信表示方法は、メインウィンドウとして使用される第１の表示装置と、サブウィンドウとして使用される第２の表示装置とからなる表示装置を備える移動体通信端末に基地局を介して音声及びデータの少なくとも一方を配信する移動体通信システムに用いられる広告配信表示方法であって、前記移動体通信端末側に、前記基地局からの前記データを前記表示装置の画面の一部領域を使用して前記画面上の情報に挿入する挿入情報として表示する処理と、前記挿入情報が選択された時に前記第２の表示装置の画面へ前記基地局の周辺地域の各種情報を示すエリア情報のリスト及び当該エリア情報を提供するサイトの情報を表示する処理とを備えている。
【００１２】
本発明による広告配信表示方法のプログラムは、メインウィンドウとして使用される第１の表示装置と、サブウィンドウとして使用される第２の表示装置とからなる表示装置を備える移動体通信端末に基地局を介して音声及びデータの少なくとも一方を配信する移動体通信システムに用いられる広告配信表示方法のプログラムであって、前記移動体通信端末側のコンピュータに、前記基地局からの前記データを前記表示装置の画面の一部領域を使用して前記画面上の情報に挿入する挿入情報として表示する処理と、前記挿入情報が選択された時に前記第２の表示装置の画面へ前記基地局の周辺地域の各種情報を示すエリア情報のリスト及び当該エリア情報を提供するサイトの情報を表示する処理とを実行させている。
【００１３】
すなわち、本発明の移動体通信システムは、携帯電話機等の小型の表示装置を備えた移動体通信端末において、その表示装置の表示領域を有効利用して広告を表示する方法を提供するために、ユーザがブラウザ等を起動していない場合にも、画面の一部の領域を使用してテロップ等による情報を表示し、ユーザに広告を意識させることによって、宣伝効果及び集客効果を得ることを可能としている。
【００１４】
より具体的に説明すると、本発明の移動体通信システムでは、第１の表示装置（メインウィンドウ）と、第２の表示装置（サブウィンドウ）とを備えた携帯電話機において、在圏する基地局からその基地局周辺の各種情報［飲食店の情報、百貨店の情報（特売等）、災害情報等］を示すエリア情報を受信した時に、第１の表示装置画面内に配置されたテロップ表示部（動的に表示・非表示が行われる表示領域）にそのエリア情報を表示する。
【００１５】
ユーザによってテロップが選択された場合には、第２の表示装置画面へエリア情報のリストまたはサイトを表示することによって、ユーザが携帯電話機を操作中においても、所望する情報（広告サイトからの情報等）を閲覧することが可能となる。
【００１６】
これによって、本発明の移動体通信システムでは、ユーザがブラウザ等を使用していない場合にも広告を配信することが可能となり、即時性が高く、宣伝効果及び集客効果を得ることが可能となる。
【００１７】
また、本発明の移動体通信システムでは、第２の表示装置へテロップに関連付けられた情報（サイトからの情報）を表示することによって、利便性を向上させ、第２の表示装置の有効活用が可能となる。
【００１８】
さらに、本発明の移動体通信システムでは、第２の表示装置へ表示された内容を記憶装置に保存することによって、ユーザの都合に応じて別の機会にサイトを参照することが可能となる。
【発明の効果】
【００１９】
本発明は、以下に述べるような構成及び動作とすることで、ユーザがブラウザ等を使用していない場合にも広告を配信することができ、即時性が高く、宣伝効果及び集客効果を得ることができるという効果が得られる。
【発明を実施するための最良の形態】
【００２０】
次に、本発明の実施例について図面を参照して説明する。図１は本発明の一実施例による移動体通信システムの構成を示すブロック図である。図１において、本発明の一実施例による移動体通信システムは携帯電話機１と、移動体通信網１００と、ゲートウェイサーバ４と、インタネット２００と、エリア情報管理サーバ６と、コンテンツサーバ５とから構成されている。
【００２１】
携帯電話機１は音声、パケット、テレビ電話等の通信機能を備えており、移動体通信網１００に接続する基地局２との間で無線通信サービスが提供される。移動体通信網１００は無線セルに在圏する携帯電話機１と無線通信を行う基地局２と、網内の回線交換局３とから構成されている。
【００２２】
インタネット２００と移動体通信網１００とはゲートウェイサーバ４を介して接続される。エリア情報管理サーバ６は移動体通信網１００に接続されており、各基地局２のエリア情報を管理する。コンテンツサーバ５はインタネット２００に接続されており、広告等の各サイトを管理する。
【００２３】
図２は図１の携帯電話機１の構成を示すブロック図である。図２において、携帯電話機１はユーザインタフェース１１と、電話制御回路１２と、データ記憶装置１３と、無線通信装置１４と、第１表示装置制御回路１５と、第１表示装置（メインウィンドウ）１６と、第２表示装置制御回路１７と、第２表示装置（サブウィンドウ）１８と、テロップ表示変換手段１９と、各回路の処理を実現するためのプログラム（コンピュータで実現可能なプログラム）を格納する記録媒体２０と、バス１１０とから構成されている。
【００２４】
携帯電話機１において、電話制御回路１２、データ記憶装置１３、無線通信装置１４、第１表示装置制御回路１５、第２表示装置制御回路１７、テロップ表示変換手段１９、記録媒体２０はそれぞれバス１１０に接続されている。
【００２５】
図３は本発明の一実施例による移動体通信システムの動作を示すシーケンスチャートである。これら図１〜図３を参照して本発明の一実施例による移動体通信システムの動作について説明する。
【００２６】
エリア情報管理サーバ６から配信されるエリア情報は、移動体通信網１００において携帯電話機１が在圏する基地局２を経由して携帯電話機１へ配信される（図３のａ１，ａ２）。ここで、エリア情報は基地局２周辺の各種情報［飲食店の情報、百貨店の情報（特売等）、災害情報等］を示しており、エリア情報のリストは一覧表示（リストとして表示）するために必要な簡易情報［タイトルやＵＲＬ（Ｕｎｉｆｏｒｍ  Ｒｅｓｏｕｒｃｅ  Ｌｏｃａｔｏｒ）等を含む情報］である。
【００２７】
携帯電話機１はエリア情報を受信すると（図３のａ３）、テロップ表示変換手段１９によってエリア情報をテロップ情報（第１表示装置１６に表示されている情報に挿入して表示する挿入情報、例えば広告等）に変換し、そのテロップ情報を第１表示装置１６に表示する（以下、テロップ表示とする）（図３のａ４）。
【００２８】
ユーザの判断によって、テロップ情報がクリックされた場合には、テロップ情報に対応する広告等のサイトを閲覧するために、図示せぬブラウザが起動され、コンテンツサーバ５に対してゲートウェイサーバ４とインタネット２００とを介してコンテンツサーバ５への接続を要求する（図３のａ５，ａ６，ａ７）。ここで、サイトとは上記のテロップ情報に対応する広告等の詳細情報のコンテンツを提供するホームページ等である。
【００２９】
コンテンツサーバ５はコンテンツサーバ接続要求を受信すると、コンテンツサーバ接続応答をゲートウェイサーバ４とインタネット２００とを介して携帯電話機１に送信する（図３のａ８，ａ９，ａ１０）。これによって、携帯電話機１にはユーザが所望するサイトの情報（広告等の詳細情報のコンテンツ）が表示されるので、そのサイトの情報を閲覧することが可能となる（図３のａ１１）。
【００３０】
図４は図１の携帯電話機１の動作を示すフローチャートであり、図５は図２の第１表示装置１６及び第２表示装置１８の画面を示す図である。図４には携帯電話機１における図３のａ３，ａ４，ａ５の動作を示している。これら図１〜図５を参照して携帯電話機１の動作について説明する。尚、図４に示す処理は携帯電話機１のＣＰＵ（中央処理装置）（図示せず）が記録媒体２０のプログラムを実行することで実現される。
【００３１】
携帯電話機１は受信したエリア情報をデータ記憶装置１３に格納する。尚、データ記憶装置１３に保存された各エリア情報は受信履歴等から検索し、ユーザが所望する機会に参照することが可能である。
【００３２】
また、携帯電話機１は受信したエリア情報を、テロップ表示変換手段１９によってテキスト、動画像等のフォーマットに変換し、テロップ情報とする。テロップ表示変換手段１９によって変換されたテロップ情報は第１表示装置１６のテロップ表示部１６ｂに広告等として表示される。ここで、テロップ表示部１６ｂはユーザ設定によって第１表示装置１６への表示・非表示が制御され、その表示領域の拡大や縮小も制御可能となっており、テロップ情報としてリストの各項目（タイトル等）が連続的に表示される。
【００３３】
携帯電話機１は図示せぬ表示設定手段によって第２表示装置１８への表示が設定され（図４ステップＳ１）、かつ図示せぬリスト表示設定手段によってリスト表示が設定されている場合（図４ステップＳ２）、第２表示装置１８へエリア情報のリスト表示を行い、ユーザがリストから所望する情報を選択することによって（図４ステップＳ３）、第２表示装置１８にてリンクサイトを閲覧する（図４ステップＳ４）。
【００３４】
携帯電話機１はリスト表示が設定されていない場合（図４ステップＳ２）、ユーザがテロップをクリックすることによって、第２表示装置８にてサイトを閲覧する（図４ステップＳ４）。
【００３５】
また、携帯電話機１は第２表示装置１８への表示が設定されていない場合（図４ステップＳ２）、第２表示装置１８と同様の手順によって、第１表示装置１６にてサイトを閲覧する（図４ステップＳ５，Ｓ６，Ｓ７）。
【００３６】
携帯電話機１はユーザが携帯電話機１を操作中にエリア情報を受信すると、第１表示装置画面１６ａの一部に配置されたテロップ表示部１６ｂにテロップを表示する。ユーザによってテロップがクリックされた場合、携帯電話機１は第２表示装置画面１８ａにリストまたはサイトを表示する。
【００３７】
このように、本実施例では、ユーザがブラウザ等を使用していない場合にも広告を配信することができ、即時性が高く、宣伝効果及び集客効果を期待することができる。
【００３８】
また、本実施例では、第２表示装置１８にテロップに関連付けられた情報（サイト）を表示することによって、利便性を向上させることができ、第２表示装置１８を有効に活用することができる。
【００３９】
さらに、本実施例では、第２表示装置１８に表示された内容をデータ記憶装置１３に保存することによって、ユーザの都合に応じて別の機会にサイトを参照することができる。
【００４０】
尚、本発明では、上記の実施例において、第２表示装置１８を備えた携帯電話機１について述べたが、第２表示装置を備えていないＰＤＡ（Ｐｅｒｓｏｎａｌ  Ｄｉｇｉｔａｌ  Ａｓｓｉｓｔａｎｔ）等の移動体通信端末の場合、起動アプリケーションを切替えることによって、１つの表示装置で本機能を実現することも可能である。つまり、本発明では、ブラウザやメーラ（図示せず）等の複数のアプリケーションの表示を、ユーザが現在操作しているアプリケーションの表示を画面の最前面に表示することで、１つの表示装置で上記の機能が実現可能となる。
【００４１】
また、本発明では、メールマガジン等として配信されたメールを広告として扱い、テロップ表示変換手段１９を用いてテロップ表示部１６ａへメールのＳｕｂｊｅｃｔ等を表示させてもよい。この場合には、ユーザがテロップをクリックすると、メーラが起動されてメールを表示することで、メールに記載されているＵＲＬ等によってサイト閲覧を促すことも可能である。
【００４２】
さらに、本発明では、通常のメールを受信した場合においても、テロップ表示変換手段１９を用いてテロップ表示部１６ａへメールの簡易情報を送ることで、テロップ表示領域を利用してメールの簡易情報を表示することも可能である。
【００４３】
さらにまた、本発明では、テレビ電話通信中に音声認識を用いたキーワード検索によってテロップ表示広告を抽出してもよい。この場合の検索には、データ記憶装置１３に格納されたエリア情報から図示せぬ検索手段を用いて行う。
【００４４】
図示せぬブラウザやメーラの操作中には、テキスト情報を用いたキーワード検索によって、テロップ表示広告を抽出してもよい。この場合の検索には、データ記憶装置１３に格納されたエリア情報から図示せぬ検索手段を用いて行う。
【００４５】
上記のほかに、ユーザが通信中でない場合には、テロップ表示広告を受信しないこととする設定手段を携帯電話機１に付加してもよい。コンテンツサーバ５にて、ユーザが広告をクリックした回数、サイトが閲覧された時間等を管理してもよい。ユーザ使用中の画面に表示された内容は、他方の画面へ切替可能としてもよい（第１表示装置１６と第２表示装置１８との表示切替）。
【産業上の利用可能性】
【００４６】
本発明は、上記の携帯電話機への広告配信サービスのほかに、ＰＤＡ等の移動体通信端末や携帯可能なノード型パーソナルコンピュータ等の携帯端末への広告配信サービスにも適用可能である。
【図面の簡単な説明】
【００４７】
【図１】本発明の一実施例による移動体通信システムの構成を示すブロック図である。
【図２】図１の携帯電話機の構成を示すブロック図である。
【図３】本発明の一実施例による移動体通信システムの動作を示すシーケンスチャートである。
【図４】図１の携帯電話機の動作を示すフローチャートである。
【図５】図２の第１表示装置及び第２表示装置の画面を示す図である。
【符号の説明】
【００４８】
１  携帯電話機
２  基地局
３  回線交換局
４  ゲートウェイサーバ
５  コンテンツサーバ
６  エリア情報管理サーバ
１１  ユーザインタフェース
１２  電話制御回路
１３  データ記憶装置
１４  無線通信装置
１５  第１表示装置制御回路
１６  第１表示装置
１７  第２表示装置制御回路
１８  第２表示装置
１９  テロップ表示変換手段
２０  記録媒体
１００  移動体通信網
１１０  バス
２００  インタネット
【図１】
2006109112.tif 000003
【図２】
2006109112.tif 000004
【図３】
2006109112.tif 000005
【図４】
2006109112.tif 000006
【図５】
2006109112.tif 000007